(57)【要約】【課題】  浮性を有する高殺菌効果の繊維フィルタボールを具え、高周波バイオ化学波動能力を発生させる磁化超高活性酸素水措置を提供する。【解決手段】水活性化装置は、（a）複数の浮揚性繊維フィルタボールと、噴射器と、複数のエネルギー管と、容器槽と、マグネタイザーと、（b）軟水素子と、（c）紫外線殺菌ランプと、複数の多孔性エネルギープレートと、複数の磁気体と、フィルタネットと、フィルタと、（d）蛇口と、（e）スプレーと、（f）蛇口とスプレーとの間に設けられたスプレースイッチと、（g）反復洗浄スイッチと、（h）水流モーターと、（i）ガス／水攪拌器、高圧空気ポンプ、超酸素発生槽と、（ｊ）変換素子からなり、水は有効に活性化され、容器槽内部の水質を高めることができる。【選択図】  図１
2004202491.tif 000002
【特許請求の範囲】
【請求項１】
（a）複数の浮揚性繊維フィルタボールと、噴射器と、複数のエネルギー管と、容器槽と、マグネタイザーと、
（ｂ）軟水素子
（ｃ）紫外線殺菌ランプと、複数の多孔性エネルギープレートと、複数の磁気体と、フィルタネットと、フィルタと、
（d）蛇口と、
（e）スプレーと、
（f）蛇口とスプレーとの間に設けられたスプレースイッチと、
（g）反復洗浄スイッチと、
（h）水流モーターと、
（i）ガス／水攪拌器と、高圧空気ポンプと、超酸素発生槽と、
（ｊ）変換素子
とを含んでなることを特徴とする水活性化装置。
【請求項２】
前記マグネタイザーは、等方体か、或いはネオジム鉄ほう素合金などの磁性を有する等方体から形成し、磁性を具えた第１管体と、
磁性を具えた第２管体と、
第１管体の中央に設けられた磁性を具えた中心桿と、
第２管体に設けられた磁性を具えた管体と、
水道管を具えた２つの磁性を具えたプレートとを含んでなり、
該磁性を具えた第１管体は内壁にN極の性質を具え、外壁にS極の性質を具え、磁性を具えた第２管体は内壁にN極の性質を具え、外壁にS極の性質を具えてなるか、第１管体は内壁にS極の性質を具え、外壁にN極の性質を具え、第２管体は内壁にS極の性質を具え、外壁にN極の性質を具えてなることを特徴とする請求項１に記載する水活性化装置。
【請求項３】
前記浮揚性繊維フィルタボールはそれぞれ、浮揚性を具えたポリエステル、ナイロン、P.V.C.、PP、PEなどから形成され、浮揚材料は高周波の弧により表面に１μ以上の径の穿孔を形成したフィルムからなり、フィルムは浮揚性繊維フィルタボールをぬうように分割された扁平線になることを特徴とする請求項１に記載する水活性化装置。
【請求項４】
前記噴射器は、ヘッド部と、
ガイド管と、
該ヘッド部の外周に設けられ、ガイド管と接続している複数の気泡発生石とを含んでなることを特徴とする請求項１に記載する水活性化装置。
【請求項５】
前記噴射器は容器槽の上面に設けられ、ヘッド部が容器槽内部に延伸し、温度スイッチに接続しているため、噴射器は４５℃を維持する構造からなることを特徴とする請求項１に記載する水活性化装置。
【請求項６】
前記エネルギー管は、それぞれ良質の波動エネルギーを具えた多孔性生物化学セラミック材料から形成され、該セラミック材料は高圧で圧縮し、高温で焼いて管状に形成し、複数のU字角に接続することを特徴とする請求項１に記載する水活性化装置。
【請求項７】
前記磁気体は、特殊な磁気を備えた混合プラスチック粉末を混合し、鋳型に入れて圧縮、磁気化し、表面がさびないように被覆してボールやブロックの形状に形成され、
該ボール状に形成された磁気体は中心に孔と、
複数の曲線と、
隣接した曲線の間に形成される空間部とを含んでなり、
該ブロック状に形成された磁気体は、複数の孔と、
複数の曲線と、
隣接する曲線の間に形成された空間部とを含んでなることを特徴とする請求項１に記載する水活性化装置。
【請求項８】
前記洗浄ファンは容器槽上に設けられ、反復洗浄モーターは容器槽上に設けられ、洗浄ファンに接続し、浮揚性繊維フィルタボールに反復洗浄を行わせる構造を特徴とする請求項１に記載する水活性化装置。
【請求項９】
前記確認バルブは容器槽の上に設けられ、泥が外へ排出される時に容器槽へ空気を挿入することを特徴とする請求項１に記載する水活性化装置。
【請求項１０】
前記磁気吸水バルブと、磁気排水バルブと、磁気バルブとを容器槽上に設けてなることを特徴とする請求項１に記載する水活性化装置。
【請求項１１】
前記軟水化装置は、カーソルプラグ型の水流調節器か、或いはダブルクロス式水量調節器からなり、軟水素子の排水口に設けられ、軟水と非軟水を混合する構造からなることを特徴とする請求項１に記載する水活性化装置。
【請求項１２】
前記軟水化素子は、２層式多孔型水混合器か、或いは２層式三角錐型水混合器とし、軟水化素子の排水口上に設けられ、軟水と非軟水を混合することを特徴とする請求項１に記載する水活性化装置。
【請求項１３】
前記マグネタイザーは、２つの管を具えた液体マグネタイザーであることを特徴とする請求項１に記載する水活性化装置。
【請求項１４】
前記紫外線殺菌ランプは、容器槽内の水の中に直接設けられ、紫外線殺菌ランプが接続される第２設置台は、透明なプラスチック材料、弾性を具えたゴムから形成した第１設置台に設けられることを特徴とする請求項１に記載する水活性化装置。
【請求項１５】
前記容器槽は、第１設置台を位置決めする位置決めソケットから形成された上方ハウジングを具えてなり、第１設置台は第１設置台の位置決めプレートにより位置決めソケットと接続されることを特徴とする請求項１４に記載する水活性化装置。
【請求項１６】
前記第１設置台の位置決めプレートは、透明な第１設置台を通過した紫外線殺菌ランプの光を感知し、紫外線殺菌ランプの操作を監視することを特徴とする請求項１５に記載する水活性化装置。
【請求項１７】
前記プレートは波動エネルギーを具えた多孔バイオケミカルセラミック材料から形成し、
該セラミック材料は、高圧でプレスされ、高温で焼いてプレート状に形成され、プレートに形成される孔は少なくとも２０m／ｍΨ以上で、紫外線殺菌ランプの光線が、プレートを通過することを特徴とする請求項１に記載する水活性化装置。
【請求項１８】
前記磁気体は、多方向の高接続性を具えていることを特徴とする請求項１に記載する水活性化装置。
【請求項１９】
前記噴射器は、超音速高周波噴射機であることを特徴とする請求項１に記載する水活性化装置。
【請求項２０】
前記上方ネットと下方ネットは、容器槽の内部に設けられた内部槽の内側に設け、上方ネットは孔の直径が１μ（ミクロ）以下で、下方ネットは孔の直径が200マッシュ以上に形成する。ことを特徴とする請求項１に記載する水活性化装置。
【請求項２１】
前記環状フィルタネットは、内部槽と、容器槽との間に設けられ、直径が１μ（ミクロ）以下で形成することを特徴とする請求項２０に記載する水活性化装置。
【請求項２２】
前記フィルタは、上方ネットと下方ネットとの間に設けることを特徴とする請求項２２に記載する水活性化装置。
【請求項２３】
前記磁気吸水バルブと磁気排水バルブは、容器槽上に設けられ、反復洗浄モーターも容器槽上に設けられ、反復洗浄は上方ネットと下方ネットとの間で行われることを特徴とする請求項２０に記載する水活性化装置。
【請求項２４】
前記ガイドプラグは、内部槽と容器槽との間に設けられ、容器から内部槽へ水を導入するとともに、吸水口、排水リング、吸水リングを具えており、そのうち排水リングは、容器槽から外部へ水を排水するために供し、吸水リングは、ガイドプラグと内部槽の吸水口との間を緊密に接続し、容器槽と内部槽とを貫通するために供することを特徴とする請求項１に記載する水活性化装置。
【請求項２５】
前記蛇口は、本体と、ハンドルと、管と、該管に接続した吸水口と、スイッチと、混合水接続部と、熱湯吸水口と、冷水吸水口と、混合水の排水口と、該混合水の排水口に接続した接続部と、混合水反復接続部と、混合水の反復接続部に接続した接続部と、反復洗浄スイッチとを含んでなることを特徴とする請求項１に記載する水活性化装置。
【請求項２６】
前記噴射スイッチは、蛇口に接続した排水口と、噴射器に接続した排水口とを含んでなることを特徴とする請求項１に記載する水活性化装置。
【請求項２７】
前記第１環状体と可動プラグの内、第１環状体は噴射スイッチ内部に設けられ、凹部と、第２環状体と、第３環状体とを具えてなり、第３環状体は、噴射スイッチの内部孔に緊密に設けられ、可動プラグは噴射スイッチ内部に設けられ、第１環状体と第２環状体とを貫通して延伸した桿体と、桿体の第１端縁部に設けられた第１プラグヘッドと、桿体の第２端縁部に噴射器に隣接して設けられた第２プラグヘッドとを具えてなることを特徴とする請求項２６に記載する水活性化装置。
【請求項２８】
前記反復洗浄スイッチは、スイッチハンドルと、ストッパーとを具えてなることを特徴とする請求項２５に記載する水活性化装置。
【請求項２９】
前記水流モニタは、上プレートと、下プレートと、吸水口と、排水口と、浮遊体と、中央ピンと、接続線を具えた下リードスイッチと、接続線を具えた上リードスイッチと、環状を呈してなる磁気体と、上環状体と、下環状体とを含んでなり、
該浮遊体は、上環状体と下環状体との間に設けられた中央ピン上に回動自在に設けられ、
該磁気体は浮遊体に設けられ、浮遊体と共に移動し、
該下リードスイッチと、上リードスイッチはそれぞれ、中央ピン上に設けられることを特徴とする請求項１に記載する水活性化装置。
【請求項３０】
前記ガス／水攪拌器は、吸水口と、排水口と、吸気口と、複数の気体発生石と、環状を呈してなる水攪拌ネットと、空気孔とを含んでなり、水が流れる場合、空気は吸気口、空気孔、気体発生石、水攪拌ネットを通過して水と混合することを特徴とする請求項１に記載する水活性化装置。
【請求項３１】
前記磁気高圧空気ポンプは、恒久性を具えた磁気体と、第１磁気体と、第２磁気体と、桿体と、シリンダピストンを具えた第１シリンダと、注入ピストン（i２−５−２）と、排出ピストン（i２−５−３）と、シリンダピストン（i２−６−１）を具えた第２シリンダ（i２−６）と、注入ピストン（i２−６−２）と、排出ピストン（i２−６−３）と第１空気ガイド管（i２−７）と、第２空気ガイド管（i２−８）と、排気口（i２−９）とを含んでなる。ことを特徴とする請求項１に記載する水活性化装置。
【請求項３２】
前記超酸素発生槽は、上蓋と、該超酸素発生槽内部に設けられ、上表面に穿孔を形成した隔絶板と、側面に設けられた気体槽と、該気体槽の下に設けられた高圧空気ポンプと、該高圧空気ポンプの下に設けられ排水口を具えたガス／水攪拌器と、該ガス／水攪拌器の下に設けられた注水及び磁気弁と、超酸素発生槽内部の底面に設けられた超音速高周波噴射器と、信号線を具えたスイッチと、側面に設けられた超酸素排水口と、上方に設けられた補助弁と、信号線管とを含んでなることを特徴とする請求項１に記載する水活性化装置。
【請求項３３】
前記変換素子は、注水口と、排水口と、複数の上コイルと、複数の下コイルと、上プレートと、隔絶プレートとを含んでなり、  隔絶プレートは上コイルと下コイルとの間に設けられ、上コイルの感知した信号と下コイルの感知した信号が混合することを防ぐ構造を特徴とする請求項１に記載する水活性化装置。
【発明の詳細な説明】
【技術分野】
【０００１】
この発明は活性水の装置に関し、特に高周波バイオ・化学波動エネルギーと磁力と浮揚性を具えた繊維フィルタボールを使用して強力な殺菌効果と超酵素とを具えた水活性化装置に関する。
【背景技術】
【０００２】
従来の家庭用水フィルタはフィルタと、水の品質を高めるための水精製部とを具えてなり、使用者は濾過された水を安全に飲むことができる。
【０００３】
しかし従来の水フィルタは水を濾過するか、又は精製するかにだけ供する単一素子で構成されており、水を産み出すシステムを素子に組み入れることができない。よって実用性に欠けていた。
【発明の開示】
【発明が解決しようとする課題】
【０００４】
この発明は高周波バイオ・化学波動エネルギーと磁力と浮揚性を具えた繊維フィルタボールを使用して強力な殺菌効果と超酵素とを有する水活性化装置を提供することを課題とする。
【０００５】
またこの発明は水が確実に活性化し、効果的であるため受け入れ槽内の水の品質を高めることができる水活性化装置を提供することを課題とする。
【０００６】
この発明は水活性化装置に関し、次に記載する物から構成する。
（a） 複数の浮揚性を具えた繊維フィルタボールと、アトマイザーと、複数のバイオ。化学セラミック波動エネルギーチューブと、受け入れ槽と、磁性物
（b） 軟水素子
（c） 紫外線殺菌ランプ、複数の多孔性エネルギープレート、複数の磁気体、フィルタネット、フィルタと、
（d） 蛇口と、
（e） スプレーと、
（f） 蛇口とスプレーとの間に設けられたスプレースイッチと、
（g） 反復清掃スイッチと、
（h） 水流モニターと、
（i） ガス／水攪拌器、高圧空気ポンプ、超酵素発生槽と、
（j） 変換素子とを含んでなる。
【実施例１】
【０００７】
図１から４によると、水活性化装置は、２つの管体を具えた第１管体（a1−1）と、該第１管体（a1−１）の外側に位置する磁性を具えた第２管体（a1−２）と、第１管体（a1−１）の中央に設けられた、磁性を具えた中心桿（a１−3）と、第２管体（a1−２）の外壁に設けられた磁性を具えた管体（a1−４）と、水道管（a1−５−１）を具えた２つの磁性を具えたプレート（a1−５）と、外パイプ（a1−６）と、上部接続部（a1−７）と、進水口（a1−８）と、底面接続部（a1−９）と、排水口（a１−１０）と、磁性方向（a1−１１）（a1−１２）とを具えてなる。
【０００８】
該磁性を具えた第１管体（a１−１）は内壁にN極の性質を具え、外壁にS極の性質を具える。また磁性を具えた第２管体（a1−２）は内壁にN極の性質を具え、外壁にS極の性質を具える。反対に磁性を具えた第１管体（a1−１）が内壁にS極の性質を具え、外壁にN極の性質を有する場合、第２管体（a1−２）は内壁にS極の性質を具え、外壁にN極の性質を具えてなる。
【０００９】
２つの管体を具えた液体マグネタイザーはネオジム鉄ほう素合金などの等方体か、或いは磁性を有する等方体からなり、強力な磁性を具え、且つ磁性の方向は磁性方向（a1−１１）（a1−１２）に開示するように直線になる。
【００１０】
水は吸水口（a1−８）から注入し、マグネタイザーの磁性領域内に設けられた磁性を具えたプレート（a1−５）の水道管（a1−５−１）に沿って流動し、最適な磁性効果を得ることができる。また水は排水口（a1−１０）から排出される。磁性を具えた中心桿（a1−３）と、磁性を具えたプレート（a1−５）と、磁性を具えた管体（a1−４）は連結されているため、磁気の喪失を最小限に抑えることができる。
【００１１】
図５から１０によると、水活性化装置は上板（a2−２）と底板（a2−３）を具えた容器槽（a2−１）と、該容器槽（a2−１）の内部に設けられた上ネットプレート（a2−１０）と、下ネットプレート（a2−１１）と、複数の浮揚性繊維フィルタボール（a2−４）と、容器槽（a2−１）に設けられた液体磁気ボール（a2−５）と、複数のエネルギー管（a2−７）とと、容器槽（a2−１）に設けられた複数の同方向の磁気体（a2−９）と、容器槽（a2−１）に設けられた噴射器（a2−１２）と、泥を外へ排出する時に容器槽へ空気を送入する容器槽（a2−１）に設けられた確認バルブ（a２−１３）と、容器槽（a2−１）に設けられた洗浄ファン（a2−１４）と、容器槽（a2−１）に設けられ、浮揚性繊維フィルタボール（a2−４）に反復洗浄を伝達する洗浄ファン（a2−１４）に接続した反復洗浄モーター（a2−１５）と、圧力スイッチ（a2−１６）と、磁気吸水バルブ（a2−17）と、磁気排水バルブ（a2−18）と、磁気バルブ（a2−19）とを容器槽（a2−１）に設けてなる。
【００１２】
浮揚性繊維フィルタボール（a2−４）はそれぞれ、比重が約１となる浮揚性を具えたポリエステル、ナイロン、P.V.C.、PP、PEなどから形成される。浮揚材料は高周波の弧（corona）により表面に１μ以上の径の穿孔を形成したフィルムからなる。フィルムは浮揚性繊維フィルタボール（a2−４）をぬうように分割された扁平線になる。
それぞれのエネルギー管（a2−７）は、良質の波動エネルギーを具えた多孔性生物化学セラミック材料から形成される。該セラミック材料は高圧で押圧して管状に形成し、高温でエネルギー管（a2−７）に形成する。該エネルギー管（a2−７）は、複数のU字角（a2−８）に接続し、複数の補助棒（a2−６）に補助される。
【００１３】
図６に、水の浄化過程を説明した図を開示する。図示によると、ヘドロなどが大量にある場合、容器槽（a2−１）の圧力を増加するか、或いは所定の時間に達した時、磁気吸水バルブ（a2−17）を閉じて水の注入を停止する。その時、磁気排水バルブ（a2−18）も閉じ、反復洗浄モーター（a2―１５）を運転して、反復洗浄を行うる洗浄ファン（a2１４）を駆動させる。
【００１４】
図７に、反復洗浄過程を説明した図を開示し、図８に、反復洗浄が終了した図を開示し、図９に、汚水を排水する場合の説明図を開示する。図示によると、確認バルブ（a2−１３）が始動して汚水を外へ排水する。図１０に開示するように、汚水は外へ排水される。
【００１５】
図１１と図１２に、この発明の噴射器を開示する。図示によると、この発明の噴射器は、超音波高周波振動噴射器（a3−１）からなる。該噴射器（a3−１）は、ハウジング（a3−７）と、ヘッド部（a3−２）と、複数の気泡発生石（a3−３）と、ガイド管（a3−４）と、ガス（a3−５）とを含んでなる。該気泡発生石（a3―３）はヘッド部（a3−２）の外周に設けられ、ガイド管（a3−４）と接続している。よって、複数の気泡（a3−６）がヘッド部（a3−２）の周囲に発生して水中の酸素量が増加する。噴射器は容器槽の上面に設けられ、ヘッド部（a3−２）が容器槽内部に延伸し、温度スイッチに接続しているため、噴射器は４５℃を維持する。
【００１６】
図１３と図１４に、この発明の磁気体を開示する。図示によると、磁気体は、多方向の高接続性を具えた磁気体で、中心に孔（a4−２）を具えたボール（a4−１）と、複数の曲線（a４−３）と、隣接した曲線の間に形成される空間部（a4−４）とを含んでなる。磁気体は、複数の孔（a5−２）を具えたブロック（a5−１）と、複数の曲線（a5−３）と、隣接する曲線（a5−３）の間に形成された空間部（a５−４）とを含んでなる。構造では、ボール（a4−１）か、或いはブロック（a5−１）は、特殊な磁気を備えた混合プラスチック粉末から形成される。よって、混合物は鋳型に入れてプレスし、磁気化し、ボール（a4−１）やブロック（a5−１）の表面がさびないように被覆する。水が磁気体を通過する場合、水は孔（a4−２）、ボール（a4−１）の曲線（a4―３）を流れるか、或いはブロック（a5−１）の孔（a５−２）、曲線（a5−３）を流れる。また一部の水はボール（a4−１）の空間部（a4−４）か、或いはブロック（a5−１）の空間部（a5−４）を流れる。よって、処理水と磁気体との間の接触部が増加し、処理水が磁性を具える。
【００１７】
図１５〜１８に、水中の硬質を調節する軟水機を開示する。図示によると、水量調節器（b1―１）は、リング（b1−３−１）を具えたネジ棒（b1−３）と、該ネジ棒（b1−３）上に螺刻された溝（b1−３−２）と、ネジ棒（b1−３）の上に設けられたカーソルプラグ（ｂ１−２）とを含んでなる。該カーソルプラグ（b1−２）は表面上にガイドマーク（b1−２−１）と、２つのリング（ｂ１−２−２）と、吸水口（b1−４）と、軟式流水管（b1−５）と、非軟式流水管（b1−６）とを具えてなる。該ガイドマーク（ｂ１−２−１）は、カーソルプラグ（b1−２）に挿接され、ネジ棒（b1−３）の溝（ｂ１−３−２）上に係止される。ネジ溝（ｂ１−３）が回転する場合、ガイドマーク（b1−２―１）が動かされることによりカーソルプラグ（b1−２）が動かされ、吸水口（b1−４）から軟水式流水管（b1−５）と非軟式流水管（b1−６）に水が流入する。該リング（ｂ１―３−１）は水量調節器（b1−１）のネジ棒（b1−３）から漏水することを防ぐために供する。２つのリング（ｂ１−２−２）は軟式流水管（ｂ１―５）と非軟式流水管（ｂ１−６）が貫通することを防ぐために供する。
【００１８】
ダブルクロス式水量調節器（ｂ２−１）は、シェフト（ｂ２−２−１）を具えた調節桿（ｂ２−２）と、回転溝（ｂ２−２−２）と、リング（ｂ２−２−３）と、調節プレート（ｂ2−３）（ｂ２−４）と、軟水吸水口（ｂ２−５）と、非軟水吸水口（ｂ２−６）と、軟水管（b2−７）と、非軟水管（ｂ２−８）とを含んでなる。該軟水プレート（ｂ２−３）は、調節桿（ｂ２−２）のシャフト（ｂ２−２−１）の内部に設けられ、非軟水吸水口（ｂ２−６）と対向している。該調節プレート（ｂ２−３）は、ダブルクロス式で調節プレート（ｂ２−４）と交差するように設けられている。よって、ダブルクロス式水量調節器（ｂ２−１）を形成する。調節桿（ｂ２−２）が回転する場合、調節プレート（ｂ２−３）（ｂ２−４）が軟水吸水口（ｂ２−５）と、非軟水吸水口（ｂ２−６）から軟水管（ｂ２−７）と非軟水管（ｂ２−８）へ流れる水量を調節する。
【００１９】
水量調節器（ｂ１―１）、或いはダブルクロス式水量調節器（ｂ２−１）は、水軟水化素子の吸水口（ｂ１−４）の上に設けられ、水軟水化素子の管に流入する水量を調節する。
【００２０】
水軟水化素子には、２層多孔式の攪拌器を含む。該２層多孔式攪拌器（ｂ３−１）は、複数の孔（ｂ３−２−１）を具えた上方多孔プレート（ｂ３−２）と、非軟水排水口（ｂ３−３−１）を具えた非軟水管（ｂ３−３）と、中心孔（ｂ３−４−１）を具えた中央プレート（ｂ３−４）と、突起（ｂ３−５−１）と、複数の孔ｂ３−５−２）を具えた下方多孔プレート（ｂ３−５）と、混合水の排水口（ｂ３−６）とを含んでなる。非軟水管（ｂ３−３）の非軟水排水口（ｂ３−３−１）は、上方多孔プレート（b３−２）を貫通し、下方多孔プレート（ｂ３−５）の突起（ｂ３−５−１）へ延伸する。軟水でない水は下方多孔プレート（ｂ３−５）を通り、中央プレート（ｂ３−４）の中心孔（ｂ３−４−１）へ流入し、上方多孔プレート（ｂ３−２）の孔（ｂ３−２−１）から流入した軟水と攪拌される。混合水は下方多孔プレート（ｂ３−５）と中央プレート（ｂ３−４）とを通過し、下方多孔プレート（ｂ３−５）の孔（ｂ３−５−２）を通過し、排水溝（ｂ３−６）から外へ排水される。
【００２１】
軟水素子には、２層三角突起式の攪拌器を含む。該攪拌器は、中心孔（ｂ４−１−２）を具えた三角形の突起（ｂ４−１−１）を具えた上プレート（ｂ４−１）と、円形の孔（ｂ４−２−１）を具えた下方プレート（ｂ４−２）と、孔（ｂ４−２−１）と突起（ｂ４−１−１）との間に形成された空間部（ｂ４−２−２）と、非軟水管（ｂ４−３）と、上方プレート（ｂ４−１）と下方プレート（ｂ４−２）との間に形成された中央空間部（ｂ４−４）とを含んでなる。よって、軟水でない水は軟水と半々に攪拌される。
【００２２】
２層多孔式攪拌器（ｂ３−１）、或いは２層三角突起式攪拌器（ｂ３−１）は、水軟水化素子の排水口の上に設けられ、マグネシウム、カルシウムなどミネラル分の量を調査し、軟水と軟水でない水を半々に攪拌する。
【００２３】
図１９から２５に、水活性化装置を開示する。図示によると、水活性化装置は、上方ハウジング（ｃ−１−１）を具えた中空の容器槽（ｃ１−１）と、該容器槽（ｃ１−１）の内部に設けられた紫外線殺菌ランプ（ｃ１−２）と、該紫外線殺菌ランプ（ｃ１−２）の端縁部に設けられた第１設置台（ｃ１−４）と、該台１設置台（ｃ１−４）の上に設けられた位置決めプレート（ｃ１−６）と、該位置決めプレート（ｃ１−６）の上に設けられた第２設置台（ｃ１−３）と、該第１設置台（ｃ１−４）の外周に設けられた環状体（ｃ１−５）と、スクリュー（ｃ１−７）と、該環状体（ｃ１−５）の外側に設けられた位置決めソケット（ｃ１−８）と、超音波高周波噴射器（ｃ１−９）と、該超音波高周波噴射器（ｃ１−９）の下に設けられたプレート（ｃ１−１０）と、高接続性を具えた複数の磁気体（ｃ１−１１）と、該磁気体（ｃ１−１１）の下方に設けられ、吸水口（ｃ１−２７）を具えた内部槽（ｃ１−１２）と、該内部槽（ｃ１−１２）の内部に設けられた上方ネット（ｃ１−１３）（１μ以下の直径の多層ステンレスフィルタネット）と、下方ネット（ｃ１−１４）（ＫＤＦ或いはＡＤ３３Sを含む）と、該上方ネット（ｃ１−１３）と下方ネット（ｃ１−１４）との間に設けられるフィルタ（ｃ１−１５）と、該容器槽（ｃ１−１）の下方に設けられる下方ハウジング（ｃ１−１６）と、該容器槽（ｃ１−１）の上に設けられる蓋（ｃ１−１７）と、該蓋（ｃ１−１７）の内部に設けられる時間、温度、水量を調整するための調節素子（ｃ１−１８）と、該容器槽（ｃ−１−１）の下方に設けられる吸水口（ｃ１−１９）と、該容器槽（ｃ１−１）の上方に設けられる水流モーター（ｃ１−２０）と、該水流モーター（ｃ１−２０）の上に設けられる噴射口を具えた噴射スイッチ（ｃ１−２１）と、環状フィルタネット（ｃ１−２２）と、下方リング（ｃ１−２３）と、上方リング（ｃ１−２４）と、吸水口（ｃ１−２６−１）を具えたガイドプラグ（ｃ１−２６）と、排水リング（ｃ１−２６−２）と、吸水リング（ｃ１−２６−３）とを含んでなる。
【００２４】
該紫外線殺菌ランプ（ｃ１−２）は、容器槽（ｃ１−１）内部の水の中に直接設ける。紫外線殺菌ランプ（ｃ１−２）の第２設置台（ｃ１−３）は、透明なプラスチック材料、弾性を具えたゴムから形成した第１設置台（ｃ１−４）に設けられる。環状体（ｃ１−５）は、第１設置台（ｃ１−４）の外周に沿って設けられる。該位置決めソケット（ｃ１−８）は、第１設置台（ｃ１−４）の容器槽（ｃ１−１）の上方ハウジング（ｃ−１−１）に位置決めされる。該第１設置槽（ｃ１−４）は、第１設置台（ｃ１−４）の位置決めプレート（ｃ１−６）により位置決めソケット（ｃ１−８）と緊密に接続される。該第１設置台（ｃ１−４）の位置決めプレート（ｃ１−６）には紫外線殺菌ランプ（ｃ１−２）の光線を調査することができる採光孔が設けられているため、紫外線殺菌ランプ（ｃ１−２）を監視することができる。
【００２５】
該プレート（ｃ１−１０）は波動エネルギーを具えた多孔バイオケミカルセラミック材料から形成する。該セラミック材料は、高圧でプレスされ、高温で焼いてプレート（ｃ１−１０）を形成する。プレート（ｃ１−１０）には２０m／ｍΨ以上の孔を形成する。よって、紫外線殺菌ランプ（ｃ１−２）の光線が、プレート（ｃ１−１０）を通過する。
【００２６】
高接続性を具えた磁気体（ｃ１−１１）は、前述に記載したとおりである。
【００２７】
超音波高周波噴射器（ｃ１−９）は、前述に記載した通りである。
【００２８】
上方ネット（ｃ１−１３）と下方ネット（ｃ１−１４）は、内部槽（ｃ１−１２）の内部に設けられる。上方ネット（ｃ１−１３）は孔の直径が１μ（ミクロ）以下で、下方ネット（ｃ１−１４）は孔の直径が200マッシュ以上に形成する。よって、寄生虫などを除去してKDF（重金属、塩化物を除く）及びAD３３S（ひ素を除く）を含んでなるフィルタ（ｃ１−１５）を保護する。
【００２９】
環状フィルタネット（ｃ１−２２）は内部槽（ｃ１−１２）と、容器槽（ｃ１−１）との間に設けられ、直径が１μ（ミクロ）以下で形成される。下方リング（ｃ１−２３）と上方リング（ｃ１−２４）は、容器槽（ｃ１−１）から濾過されていない水が内部槽（ｃ１−１２）内部に入り込むことを防ぐ。
【００３０】
ガイドプラグ（ｃ１−２６）は、内部槽（ｃ１−１２）と容器槽（ｃ１−２７）との間に設けられ、容器槽（ｃ１−１）から内部槽（ｃ１−１２）の吸水口（ｃ１−２７）に向けて挿入するように設けられ、吸水口（ｃ１−２６−１）と内部槽（ｃ１−１２）が貫通する。排水リング（ｃ１−２６−２）は、容器槽（ｃ１−１）から外側へ水を排水するために供する。吸水リング（ｃ１−２６−３）は、ガイドプラグ（ｃ１−２６）と内部槽（ｃ１−１２）の吸水口（ｃ１−２７）との間を緊密に接続し、容器槽（ｃ１−１）と内部槽（ｃ１−１２）とを貫通するために供す。
【００３１】
図２６から２８に、蛇口を開示する。図示によると、蛇口は、本体（ｄ１−１）と、ハンドル（ｄ１−２）と、管（ｄ１−３）と、該管（ｄ１−３）に接続した吸水口（ｃ１−３−１）と、スイッチ（ｄ１−４）（水温と水量を調節する）と、混合水接続部（ｄ１−４−１）と、熱湯吸水口（ｄ１−５）と、冷水吸水口（ｄ１−６）と、混合水の排水口（ｄ１−７）と、排水口（ｄ１−７）に接続した接続部（ｄ１−７−１）と、混合水逆接続部（ｄ１−８）と、混合水の逆接続部（ｄ１−８）に接続した接続部（ｄ１−８−１）と、スイッチハンドル（ｄ１−９−１）と、ストッパー（ｄ１−９−２）とを具えた反復洗浄スイッチ（ｄ１−９）とを含んでなる。
【００３２】
熱湯と冷水は、熱湯吸水口（ｄ１−５）と冷水吸水口（ｄ１−６）からスイッチ（ｄ１−４）へ流入し、互いに攪拌される。混合水は反復洗浄スイッチ（ｄ１−９）を通過し、混合水の排水口（ｄ１−７）から排水される。混合水は、水活性化装置に流入し、水活性化装置の排水口から排水される。
【００３３】
図27に開示するように、混合水は、混合水逆接続部（ｄ１−８）、接続部（ｄ１−８−１）、反復洗浄スイッチ（ｄ１−９）、吸水口（ｄ１−３−１）を通過し、管（ｄ１−３）へ流入し、管（ｄ１−３）から供水される。
【００３４】
図28に開示するように、反復洗浄スイッチ（ｄ１−９）は、洗浄する方向を切り替える。混合水はスイッチ（ｄ１−４）の混合水接続部（ｄ１−４−１）、接続部（ｄ１−８−１）、混合水逆接続部（ｄ１−８）へ流入し、混合水の逆接続部（ｄ１−８）から排水する。即ち、混合水は水活性化装置から排水され、水活性化装置の反復洗浄フィルタで濾過され、水活性化装置の吸水口から排水される。よって、混合水は、混合水の排水口（ｄ１０７）、接続部（ｄ１−７−１）、反復洗浄スイッチ（ｄ１−９）、管（ｄ１−３）内部の給水口（ｄ１−３−１）へ流入する。水は反復洗浄により洗浄された後、管（ｄ１−３）から排水される。
【００３５】
図２９から３２に、噴射部を開示する。噴射部は、臨時、或いは連続して使用することができる噴射器から形成される。該噴射器は、第１噴射器と第２噴射器がある。第１噴射器には、本体（e１−１）と、調節孔（e１−２−１）を具えたトリガー（e１−２）と、ボタン（e１−３）とを含んでなる。
【００３６】
図３０Aから３０Cに、ボタン（e１−３）と調節孔（e１−２−１）との位置関係を開示する。図示によると、ボタン（e１−３）を押さない場合、トリガー（e1−２）を自由に動かすことができる。図３０Bと３０Dに開示するように、ボタン（e１−３）を押す場合、トリガー（e１−２）はロックされる。第２噴射器は、本体（e１−４）と、トリガー（e１−５）と、調節リング（e１−６）とを含んでなる。図３１、３２に、トリガー（e１−３）と調節リング（e１−６）の位置関係を開示する。
【００３７】
図３３から３５に、水活性化装置を開示する。水活性化装置は、噴射スイッチ（ｆ１−１）と、第１環状体（ｆ１−５）と、可動プラグと、連結プラグ（ｆ１−１１）とを含んでなる。該噴射スイッチ（ｆ１−１）は水活性化装置の口と噴射器との間に設けられる。該噴射スイッチ（f1−１）は、水フィルタ（ｆ１−２）と、蛇口に接続した排水口（ｆ１−３）と、噴射器に接続した排水口（ｆ１−４）と、連結プラグ（ｆ１−１１）からなる。該第１環状体（ｆ１−５）は噴射スイッチ（ｆ１−１）内部に設けられ、凹部（ｆ１−５−１）と、第２環状体（ｆ１−５−２）と、第３環状体（ｆ１−５−３）とを具えてなる。該第３環状体（ｆ１−５−３）は、噴射スイッチ（ｆ１−１）の内部孔に緊密に設けられる。該可動プラグは噴射スイッチ（ｆ１−１）内部に設けられ、第１環状体（ｆ１−５）と第２環状体（ｆ１−５−２）とを貫通して延伸した桿体（ｆ１−８）と、桿体（ｆ１−８）の第１端縁部に設けられた第１プラグヘッド（ｆ１−６）と、桿体（ｆ１−８）の第２端縁部に噴射器に隣接して設けられた第２プラグヘッド（ｆ１−７）と、ストッパー（ｆ１−１０）とを具えてなる。該連結プラグ（ｆ１−１１）は噴射スイッチ（ｆ１−１）内部に設けられ、環状体（ｆ１−１１−１）と、C字状を呈してなる環状体（ｆ１−１１−２）とを含んでなる。
【００３８】
噴射器が閉じている場合、水は水圧で第２プラグヘッド（ｆ１−７）を押圧するため、桿体（ｆ１−８）が第１プラグヘッド（ｆ１−６）を第１環状体（ｆ１−５）から分離させるため、水が吸水口（ｆ１−２）から第１環状体（ｆ１−５）の凹部（ｆ１−５−１）へ流れ、水が蛇口から外へ排水される。水流経路（ｆ１−１２）は図３４）に開示する通りである。
【００３９】
噴射器が開いている場合、水の流れが変わり、水は水圧で第１プラグヘッド（ｆ１−６）を押圧するため、第２プラグヘッド（ｆ１−７）が駆動し、水は吸水口（ｆ１−２）から入り排水口（ｆ１−４）内部の第２プラグヘッド（ｆ１−７）へ流れ、噴射器から噴射される。水流経路（ｆ１−１３）は図３５に開示する通りである。
【００４０】
図３６、３７に、水流モニタを開示する。図示によると、水流モニタ（ｈ１−１）は、上プレート（ｈ１−２）と、下プレート（ｈ１−３）と、吸水口（ｈ１−４）と、排水口（ｈ１−５）と、浮遊体（ｈ１−６）と、中央ピン（ｈ１−７）と、接続線（ｈ１−８−１）を具えた下リードスイッチ（ｈ１−８）と、接続線（ｈ１−９−１）を具えた上リードスイッチ（ｈ１−９）と、環状を呈してなる磁気体（ｈ１−１０）と、上環状体（ｈ１−１１）と、下環状体（ｈ１−１２）とを含んでなる。
【００４１】
該浮遊体（ｈ１−６）は、上環状体（ｈ１−１１）と下環状体（ｈ１−１２）との間に設けられた中央ピン（ｈ１−７）上に回動自在に設けられる。該磁気体（ｈ１−１０）は浮遊体（ｈ１−６）に設けられ、浮遊体（ｈ１−６）と共に移動する。該下リードスイッチ（ｈ１−８）と、上リードスイッチ（ｈ１−９）はそれぞれ、中央ピン（ｈ１−７）上に設けられる。
【００４２】
図３７に開示するように、水が流れていない場合、浮遊体（ｈ１−６）は水流モニタ（ｈ１−１）内部の水に浮いて、上環状体（ｈ１−１１）の下、磁気体（ｈ１−８）の上に位置するため、上リードスイッチ（ｈ１−９）が開き、接続線（ｈ１−９−１）を通して監視電気回路に信号を送信される。この時、上リードスイッチ（ｈ１−９）が開き、下リードスイッチ（ｈ１−８）が接続される。水流モニタ（ｈ１−１）の吸水口（ｈ１−４）から水が注入される場合、水流により浮遊体（ｈ１−６）は下方向へ押されて下環状体（ｈ１−１２）上に位置する。この時、上リードスイッチ（ｈ１−９）がつながり、下リードスイッチ（ｈ１−８）が開く。水が流れていない時、浮遊体（ｈ１−６）はもとの位置に戻り、上リードスイッチ（ｈ１−９）が閉じられ、下リードスイッチ（ｈ１−８）がつながる。よって、水流モニタ（ｈ１−１）はタイマーや温度スイッチと合わせて、時間、温度、水流を調整する調整素子として使用し、水が流れる時に紫外線殺菌ランプ、超音速高周波噴射器を始動させたり、水の流れを停止した時に予め決められた間、紫外線殺菌ランプ、超音波高周波噴射器を止めたり、温度が設定温度を越えた場合に電気回路を止めたりする。
【００４３】
図３８、３９に、水活性化装置のガス／水攪拌器を開示する。図示によると、ガス／水攪拌器（i１−１）は、上部に設けられた吸水口（i１−１−１）と、底部に設けられた排水口（i１−１−２）と、側面に設けられた吸気口（i１−１−３）と、ガス／水攪拌器の内部に設けられた複数の気体発生石（i１−２）、環状を呈してなる水攪拌ネット（i１−３）とを含んでなり、水と空気を均一に混合する。
【００４４】
図４０、４１に、水活性化装置の磁気高圧空気ポンプを開示する。磁気高圧空気ポンプは、恒久性を具えた磁気体（i２−１）と、第１磁気体（i２−２）と、第２磁気体（i２−３）と、桿体（i２−４）と、シリンダピストン（i2−５−１）を具えた第１シリンダ（i２−５）と、注入ピストン（i２−５−２）と、排出ピストン（i２−５−３）と、シリンダピストン（i２−６−１）を具えた第２シリンダ（i２−６）と、注入ピストン（i２−６−２）と、排出ピストン（i２−６−３）と第１空気ガイド管（i２−７）と、第２空気ガイド管（i２−８）と、排気口（i２−９）とを含んでなる。
【００４５】
該磁気体（i２−１）、第１磁気体（i２−２）、第２磁気体（i２−３）は、それぞれ桿体（i２−４）上に設けられる。第１シリンダ（i２−５）、第２シリンダ（i２−６）は桿体（i２−４）の両端縁部に設けられる。
【００４６】
図４０、４１に開示するように、磁気体（i２−１）は第１磁気体（i２−２）と第２磁気体（i２−３）の間で同じ桿体上にもうけられている。磁気体（i２−１）は、桿体（i２−４）を左右に押し動かし、両端に設けられた第１シリンダ（i２−５）と第２シリンダ（i２−６）が注入ピストン（i２−５−２）と、排出ピストン（i２−５−３）を動かす。よって、圧縮された空気が第１空気ガイド管（i２−７）、第２空気ガイド管（i２−８）から排気口（i２−９）へ送られ、外へ排出される。
【００４７】
図４２から４５に、超酸素発生槽を開示する。図示によると、超酸素発生槽（i３−１）は、上蓋（i３−２）と、該超酸素発生槽（i３−１）内部に設けられ、上表面に穿孔（i３−３−１）を形成した隔絶板（i３−３）と、側面に設けられた気体槽（i３−４）と、該気体槽（i３−４）の下に設けられた高圧空気ポンプ（i３−５）と、該高圧空気ポンプ（i３−５）の下に設けられ排水口（i３−８）を具えたガス／水攪拌器（i３−６）と、該ガス／水攪拌器（i３−６）の下に設けられた注水及び磁気弁（i３−７）と、超酸素発生槽（i３−１）内部の底面に設けられた超音速高周波噴射器（i３−９）と、信号線（i３−１０−１）を具えたスイッチ（i３−１０）と、側面に設けられた超酸素排水口（i３−１１）と、上方に設けられた補助弁（i３−１２）と、信号線管（i３−１３）とを含んでなる。
【００４８】
該注水及び磁気弁（i３−７）は、水をガス／水攪拌器（i３−６）に注水する。気体槽（i３−４）のガスは高圧空気ポンプ（i３−５）により圧縮され、ガス／水攪拌器（i３−６）に送られ水と混合される。圧縮されたガス／水の混合物は、ガス／水攪拌器（i３−６）の排水口（i３−８）を通過して超酸素発生槽（i３−１）へ送られる。
【００４９】
超酸素高周波噴射器（i３−９）は、圧縮されたガス／水の混合物を噴射して、酸素を増加させる。圧縮されたガス／水の混合物は隔絶板（i３−３）の穿孔（i３−３−１）を通過して、信号線（i３−１０−１）を駆動するスイッチ（i３−１０）まで達し、注入及び磁気弁（i３−７）へ信号を送信し、水流を停止する。この時、圧縮されたガス／水の混合物は超酸素発生槽（i３−１）へ送られ、水に含まれる酸素の量が１〜８倍の６０pm以上に増加する。超酸素発生槽（i３−１）内部の圧力が規定された圧力を上回る場合、補助弁（i３−１２）が空気を放出する。
【００５０】
図４３に、水が超酸素発生槽（i３−１）に注水された状態を開示する。図４４に、超酸素発生槽（i３−１）に水が満杯になった状態を開示する。図４５に、超酸素発生槽（i３−１）内の水が超酸素排水口（３−１１）から排水される状態を開示する。水位がスイッチ（i３−１０）を下回る場合、信号線（i３−１０−１）が注水及び磁気弁（i３−７）へ信号を送信して、超酸素発生槽（i３−１）内に水が注水される。
【００５１】
図４６、４７に、変換素子を開示する。図示によると、変換素子（j１−１）は、注水口（j１−１−１）と、排水口（j１−１−２）と、複数の上コイル（j１−２）と、複数の下コイル（j１−３）と、上プレート（j１−４）と、隔絶プレート（j１−５）とを含んでなる。変換される液体（尿或いは薬）が上プレート（j１−４）に置かれると、上コイル（j１−２）は信号を感知するとa、b線により信号を増幅器へ送信する。増幅された信号は、下コイル（j１−３）へ送信され、磁気化され、磁波に変換される。よって、注水口（j１−１−１）から変換素子（j１−１）に注入された水が磁気化され排水口（j１−１−２）から排水される。
【００５２】
隔絶プレート（j１−５）は、上コイル（j１−２）と下コイル（j１−３）との間に設けられ、上コイル（j１−２）の感知した信号と下コイル（j１−３）の感知した信号が混合することを防ぐ。よって、変換素子（j１−１）は連続性のある水に変換することができる。
【００５３】
以上は、この発明の好ましい実施例であって、この発明の実施の範囲を限定するものではない。よって、当業者のなし得る修正、もしくは変更であって、この発明の精神の下においてなされ、この発明に対して均等の効果を有するものは、いずれもこの発明の特許請求の範囲に属するものとする。
【図面の簡単な説明】
【００５４】
【図１】この発明の磁性を具えた水活性化装置の断面図である。
【図２】図１に開示するこの発明の水活性化装置を上から見た平面図である。
【図３】図１に開示するこの発明の水活性化装置の断面図である。
【図４】図３に開示するこの発明の水活性化装置を上から見た平面図である。
【図５】この発明の水活性化装置の容器槽の断面図である。
【図６】図５に開示するこの発明の水活性化装置が水を活性化する場合の説明図である。
【図７】図６に開示するこの発明の水活性化装置が反復清掃を行う場合の説明図である。
【図８】図７に開示する水活性化装置が反復清掃を終了した場合の説明図である。
【図９】図８に開示する水活性化装置が汚水を排出する場合の説明図である。
【図１０】図９に開示する水活性化装置の断面図である。
【図１１】この発明の磁性を具えた水活性化装置の噴射器の断面図である。
【図１２】図１１に開示するこの発明の水活性化装置の噴射器を上から見た平面図である。
【図１３】この発明の磁性を具えた水活性化装置のボールの斜視図である。
【図１３Ａ】図１３に開示するこの発明のボールを上から見た平面図である。
【図１３Ｂ】図１３に開示するこの発明のボールの側面図である。
【図１４】この発明の磁性を具えた水活性化装置のブロックの斜視図である。
【図１４Ａ】図１４に開示するこの発明のブロックを上から見た平面図である。
【図１４Ｂ】図１４に開示するこの発明のブロックの側面図である。
【図１５】この発明の磁性を具えた水活性化装置のカーソールプラグタイプの水流調節器の平面図である。
【図１６】この発明の磁性を具えた水活性化装置の双十字タイプの水量調節器の平面図である。
【図１７】この発明の磁性を具えた水活性化装置の複数の孔を具えた２層リング式ミキサーの断面図である。
【図１８】この発明の磁性を具えた水活性化装置の複数の凹部を具えた２層リング式ミキサーの断面図である。
【図１８Ａ】図１８に開示する凹部を具えた２層リング式ミキサーの部分拡大平面図である。
【図１９】この発明の磁性を具えた水活性化装置の容器槽の断面図である。
【図２０】図１９に開示した容器槽の断面図である。
【図２１】図１９に開示した容器槽の側面図である。
【図２２】この発明の磁性を具えた水活性化装置のフィルタネットの斜視図である。
【図２３】この発明の磁性を具えた水活性化装置の紫外線殺菌ランプの断面図である。
【図２４】図２３に開示した紫外線殺菌ランプの部分断面図である。
【図２５】図２３に開示した紫外線殺菌ランプの斜視図である。
【図２６】この発明の磁性を具えた水活性化装置の蛇口の断面図である。
【図２７】図２６に開示した蛇口を上から見た平面図である。
【図２８】図２７に開示した蛇口を上から見た平面図である。
【図２９】この発明の磁性を具えた水活性化装置の第１スプレーの側面図である。
【図３０】図２９に開示した第１スプレーの側面図である。
【図３０Ａ】図３０に開示した第１スプレーの部分平面図である。
【図３０Ｂ】図３０に開示した第１スプレーの部分平面図である。
【図３０Ｃ】図３０に開示した第１スプレーの部分側面図である。
【図３０Ｄ】図３０に開示した第１スプレーの部分側面図である。
【図３１】この発明の磁性を具えた水活性化装置の第２スプレーの側面図である。
【図３２】図３１に開示した第２スプレーの側面図である。
【図３３】この発明の水活性化装置のプラグの断面図である。
【図３４】この発明の水活性化装置のスプレースイッチである。
【図３５】図３１に開示したこの発明のスプレースイッチを上方から見た平面図である。
【図３６】この発明の水活性化装置の水流モニタを表わした断面図である。
【図３７】図３６に開示したこの発明の水流モニタの断面図である。
【図３８】この発明の水活性化装置の攪拌器を説明した断面図である。
【図３９】この発明の水活性化装置のネットを説明した斜視図である。
【図４０】この発明の水活性化装置の空気ポンプを説明した断面図である。
【図４１】図４０に開示したこの発明の空気ポンプの断面図である。
【図４２】この発明の水活性化装置の容器槽を説明した断面図である。
【図４３】図４３に開示したこの発明の容器槽の断面図である。
【図４４】図４３に開示したこの発明の容器槽の断面図である。
【図４５】図４４に開示したこの発明の容器槽の断面図である。
【図４６】この発明の水活性化装置の変換素子を説明した断面図である。
【図４７】図４６に開示したこの発明の変換素子の断面図である。
【符号の説明】
【００５５】
ａ１−１        第１管体
ａ１−２        第２管体
ａ１−３        磁性を具えた中心桿
ａ１−４        磁性を具えた管体
ａ１−５        磁性を具えたプレート
ａ１−５−１    水道管
ａ１−６        外パイプ
ａ１−７        上部接続部
ａ１−８        進水口
ａ１−９        底面接続部
ａ１−１０      排水口
ａ１−１１      磁性方向
ａ１−１２      磁性方向
【図１】
2004202491.tif 000003
【図２】
2004202491.tif 000004
【図３】
2004202491.tif 000005
【図４】
2004202491.tif 000006
【図５】
2004202491.tif 000007
【図６】
2004202491.tif 000008
【図７】
2004202491.tif 000009
【図８】
2004202491.tif 000010
【図９】
2004202491.tif 000011
【図１０】
2004202491.tif 000012
【図１１】
2004202491.tif 000013
【図１２】
2004202491.tif 000014
【図１３】
2004202491.tif 000015
【図１３Ａ】
2004202491.tif 000016
【図１３Ｂ】
2004202491.tif 000017
【図１４】
2004202491.tif 000018
【図１４Ａ】
2004202491.tif 000019
【図１４Ｂ】
2004202491.tif 000020
【図１５】
2004202491.tif 000021
【図１６】
2004202491.tif 000022
【図１７】
2004202491.tif 000023
【図１８】
2004202491.tif 000024
【図１８Ａ】
2004202491.tif 000025
【図１９】
2004202491.tif 000026
【図２０】
2004202491.tif 000027
【図２１】
2004202491.tif 000028
【図２２】
2004202491.tif 000029
【図２３】
2004202491.tif 000030
【図２４】
2004202491.tif 000031
【図２５】
2004202491.tif 000032
【図２６】
2004202491.tif 000033
【図２７】
2004202491.tif 000034
【図２８】
2004202491.tif 000035
【図２９】
2004202491.tif 000036
【図３０】
2004202491.tif 000037
【図３０Ａ】
2004202491.tif 000038
【図３０Ｂ】
2004202491.tif 000039
【図３０Ｃ】
2004202491.tif 000040
【図３０Ｄ】
2004202491.tif 000041
【図３１】
2004202491.tif 000042
【図３２】
2004202491.tif 000043
【図３３】
2004202491.tif 000044
【図３４】
2004202491.tif 000045
【図３５】
2004202491.tif 000046
【図３６】
2004202491.tif 000047
【図３７】
2004202491.tif 000048
【図３８】
2004202491.tif 000049
【図３９】
2004202491.tif 000050
【図４０】
2004202491.tif 000051
【図４１】
2004202491.tif 000052
【図４２】
2004202491.tif 000053
【図４３】
2004202491.tif 000054
【図４４】
2004202491.tif 000055
【図４５】
2004202491.tif 000056
【図４６】
2004202491.tif 000057
【図４７】
2004202491.tif 000058
【外国語明細書】
WATER ACTIVATING APPARATUS
BACKGROUND OF THE INVENTION
1. Field of the Invention
The present invention relates to a water activating apparatus, and more particularly to a water activating apparatus having a strongly sterilizing effect and a super-oxygen content by using special floatable fibrous filter balls having high frequency bio-chemical wave energy and magnetizing effect.
2. Description of the Related Art
A conventional household water filter is used to filter and purify the water to enhance the water quality so that the user can drink the filtered water safely. However, the conventional water filter is constructed by a single device which only provides a single water filtering or purifying function and cannot integrate all of the devices into an integrated water processing system, thereby limiting the versatility of the conventional water filter.
SUMMARY OF THE INVENTION
The primary objective of the present invention is to provide a water activating apparatus having a strongly sterilizing effect and a super-oxygen content by using special floatable fibrous filter balls having high frequency bio-chemical wave energy and magnetizing effect.
Another objective of the present invention is to provide a water activating apparatus, wherein the water is activated exactly and efficiently, thereby enhancing the water quality contained in the receiving barrel.
In accordance with the present invention, there is provided a water activating apparatus, comprising:
(a) a plurality of floatable fibrous filter balls, an atomizer, a plurality of bio-chemical ceramic wave energy tubes, a receiving barrel, and a magnetizer;
(b) a water softening device;
(c) an ultraviolet sterilizing lamp, a porous bio-chemical ceramic wave energy plate, a plurality of magnetized bodies, an multi-layer stainless steel filter net, and a filter barrel;
(d) a faucet;
(e) a sprayer;
(f) a sprayer switch mounted between the faucet and the sprayer;
(g) a reverse washing switch;
(h) a water flow monitor;
(i) a gas/water mixer, a magnet-actuating reciprocating high pressure air pump, and a super-oxygen generating barrel; and
(j) a transfer device.
Further benefits and advantages of the present invention will become apparent after a careful reading of the detailed description with appropriate reference to the accompanying drawings.
BRIEF DESCRIPTION OF THE DRAWINGS
Fig. 1 is a side plan cross-sectional view of a magnetizer of a water activating apparatus in accordance with the preferred embodiment of the present invention;
Fig. 2 is a top plan view of the magnetizer as shown in Fig. 1;
Fig. 3 is a another plan view of the magnetizer as shown in Fig. 1;
Fig. 4 is a top plan view of the magnetizer as shown in Fig. 3;
Fig. 5 is a plan cross-sectional view of a receiving barrel of the water activating apparatus in accordance with the preferred embodiment of the present invention;
Fig. 6 is a schematic operational view of the water activating apparatus as shown in Fig. 5, wherein the water is being processed;
Fig. 7 is a schematic operational view of the water activating apparatus as shown in Fig. 6, wherein the reverse washing is performed;
Fig. 8 is a schematic operational view of the water activating apparatus as shown in Fig. 7, wherein the reverse washing is accomplished;
Fig. 9 is a schematic operational view of the water activating apparatus as shown in Fig. 8, wherein the dirty water is drained;
Fig. 10 is a schematic operational view of the water activating apparatus as shown in Fig. 9;
Fig. 11 is a side plan cross-sectional view of an atomizer in accordance with the preferred embodiment of the present invention;
Fig. 12 is a top plan view of the atomizer as shown in Fig. 11;
Fig. 13 is a perspective view of a ball in accordance with the preferred embodiment of the present invention;
Fig. 13A is a top plan view of the ball as shown in Fig. 13;
Fig. 13B is a front plan view of the ball as shown in Fig. 13;
Fig. 14 is a perspective view of a block in accordance with the preferred embodiment of the present invention;
Fig. 14A is a top plan view of the block as shown in Fig. 14;
Fig. 14B is a front plan view of the block as shown in Fig. 14;
Fig. 15 is a plan view of a cursor-plug type water flow regulator in accordance with the preferred embodiment of the present invention;
Fig. 16 is a plan view of a dual-piece cross type water flow regulator in accordance with the preferred embodiment of the present invention;
Fig. 17 is a plan view of a dual-layer porous type water mixer in accordance with the preferred embodiment of the present invention;
Fig. 18 is a plan view of a dual-layer triangular cone type water mixer in accordance with the preferred embodiment of the present invention;
Fig. 18A is a plan cross-sectional view of the dual-layer triangular cone type water mixer as shown in Fig. 18;
Fig. 19 is a plan cross-sectional view of a receiving barrel of the water activating apparatus in accordance with the preferred embodiment of the present invention;
Fig. 20 is a schematic operational view of Fig. 19, wherein the reverse washing is performed;
Fig. 21 is a schematic side plan view of Fig. 19;
Fig. 22 is a perspective view of a filter net in accordance with the preferred embodiment of the present invention;
Fig. 23 is a plan view of a sterilizing lamp in accordance with the preferred embodiment of the present invention;
Fig. 24 is a partially assembly view of the sterilizing lamp as shown in Fig. 23;
Fig. 25 is a perspective view of the sterilizing lamp as shown in Fig. 23;
Fig. 26 is a plan view of a faucet in accordance with the preferred embodiment of the present invention;
Fig. 27 is a top plan cross-sectional view of the faucet as shown in Fig. 26;
Fig. 28 is a schematic operational view of the faucet as shown in Fig. 27;
Fig. 29 is a plan view of a first sprayer in accordance with the preferred embodiment of the present invention;
Fig. 30 is a schematic operational view of the sprayer as shown in Fig. 29;
Fig. 30A is a schematic view of the sprayer as shown in Fig. 30;
Fig. 30B is a schematic view of the sprayer as shown in Fig. 30;
Fig. 30C is a schematic view of the sprayer as shown in Fig. 30;
Fig. 30D is a schematic view of the sprayer as shown in Fig. 30;
Fig. 31 is a plan view of a second sprayer in accordance with the preferred embodiment of the present invention;
Fig. 32 is a schematic operational view of the sprayer as shown in Fig. 31;
Fig. 33 is a plan view of a movable plug in accordance with the preferred embodiment of the present invention;
Fig. 34 is a plan view of a sprayer switch in accordance with the preferred embodiment of the present invention;
Fig. 35 is a schematic operational view of the sprayer switch as shown in Fig. 31;
Fig. 36 is a plan view of a water flow monitor in accordance with the preferred embodiment of the present invention, wherein the water is flowing;
Fig. 37 is a schematic operational view of the water flow monitor as shown in Fig. 36, wherein the water flow stops;
Fig. 38 is a plan view of a gas/water mixer in accordance with the preferred embodiment of the present invention, wherein the water is flowing;
Fig. 39 is a perspective view of a net in accordance with the preferred embodiment of the present invention, wherein the water is flowing;
Fig. 40 is a plan view of an air pump in accordance with the preferred embodiment of the present invention;
Fig. 41 is a schematic operational view of the air pump as shown in Fig. 40;
Fig. 42 is a plan view of a generating barrel in accordance with the preferred embodiment of the present invention;
Fig. 43 is a schematic operational view of the generating barrel as shown in Fig. 40;
Fig. 44 is a schematic operational view of the generating barrel as shown in Fig. 43;
Fig. 45 is a schematic operational view of the generating barrel as shown in Fig. 44;
Fig. 46 is a plan view of a transfer device in accordance with the preferred embodiment of the present invention; and
Fig. 47 is a side plan view of the transfer device as shown in Fig. 46.
DETAILED DESCRIPTION OF THE INVENTION
Referring to the drawings and initially to Figs. 1-4, a water activating apparatus in accordance with the preferred embodiment of the present invention comprises a dual-tube liquid magnetizer including a magnetic inner tube a1-1, a magnetic outer tube a1-2, a magnetic conducting bar a1-3 mounted in a center of the inner tube a1-1, a magnetic conducting tube a1-4 mounted on an outer wall the outer tube a1-2, two magnetic conducting end plates a1-5 each having a water conduit a1-5-1, an outer pipe a1-6, an upper coupler a1-7, a water inlet a1-8, a lower coupler a1-9, a water outlet a1-10, and multiple magnetic lines a1-11 and a1-12. The magnetic inner tube a1-1 has an inner wall having a N pole and an outer wall having a S pole, and the magnetic outer tube a1-2 has an inner wall having a N pole and an outer wall having a S pole. Alternatively, the magnetic inner tube a1-1 has an inner wall having a S pole and an outer wall having a N pole, and the magnetic outer tube a1-2 has an inner wall having a S pole and an outer wall having a N pole.
The dual-tube liquid magnetizer is made of isotropic or anisotropic magnetic material, such as neodymium-iron-boron alloy, having strong magnetism, and having magnetic directions directed toward the magnetic lines a1-11 and a1-12. The water enters the water inlet a1-8 and flows through the water conduit a1-5-1 of the magnetic conducting end plate a1-5 into the magnetized zones of the magnetizer, thereby obtaining the optimum magnetizing effect. Then, the water flows outward from the water outlet a1-10. The magnetic conducting bar a1-3, the magnetic conducting end plate a1-5 and the magnetic conducting tube a1-4 are combined, thereby obtaining the minimum magnetic loss.
Referring to Figs. 5-10, the water activating apparatus further comprises a receiving barrel a2-1 having an upper end plate a2-2, a lower end plate a2-3, an upper net plate a2-10 and a lower net plate a2-11, a plurality of floatable fibrous filter balls a2-4 mounted in the receiving barrel a2-1, a liquid magnetizing ball a2-5, a plurality of energy tubes a2-7 mounted in the receiving barrel a2-1, a plurality of multi-directional magnetized bodies a2-9 mounted in the receiving barrel a2-1, an atomizer a2-12 mounted in the receiving barrel a2-1, a check valve a2-13 mounted on the receiving barrel a2-1 to introduce the air into the receiving barrel when the sludge is drained outward, a reverse washing fan a2-14 mounted in the receiving barrel a2-1, a reverse washing motor a2-15 mounted on the receiving barrel a2-1 and connected to the reverse washing fan a2-14 to perform a reverse washing process on the floatable fibrous filter balls a2-4, and a constant pressure switch a2-16, a water inlet magnet valve a2-17, a water outlet magnet valve a2-18, and a drain magnet valve a2-19 each mounted on the receiving barrel a2-1 respectively.
Each of the floatable fibrous filter balls a2-4 is made of floating material, such as polyester, nylon, P.V.C., PP or PE or the like, having specific gravity of about 1. The floating material is made into a film which has a surface formed with multiple pores having a diameter of at least 1μ by a high frequency corona. Then, the film is then divided into multiple flat lines which are woven into the floatable fibrous filter ball a2-4.
Each of the energy tubes a2-7 is made of a porous bio-chemical ceramic material having a great wave energy. The ceramic material is pressed and extruded at high pressure and temperature into a tubular shape to form the energy tube a2-7. The energy tubes a2-7 are connected by a plurality of U-shaped connectors a2-8 and supported by a plurality of support racks a2-6.
Fig. 6 shows a water purifying process. When the sludge is excessive, the pressure of the receiving barrel a2-1 is increased or a determined time period is reached, the water inlet magnet valve a2-17 is closed to stop supplying the water. At this time, the water outlet magnet valve a2-18 is also closed, and the reverse washing motor a2-15 is started to drive the reverse washing fan a2-14 to proceed a reverse washing process. Fig. 7 shows the reverse washing process. Fig. 8 shows the reverse washing process is completed. Fig. 9 shows the dirty water is being drained outward. At this time, the drain magnet valve a2-19 is opened, and the check valve a2-13 is also opened to drain the dirty water outward. As shown in Fig. 10, the dirty water has been drained outward.
Referring to Figs. 11 and 12, the atomizer in accordance with the preferred embodiment of the present invention is a supersonic high frequency oscillating atomizer a3-1 and includes a casing a3-7, an oscillating head a3-2, a plurality of bubble-generating stones a3-3, an air guide pipe a3-4, and a gas source a3-5. The bubble-generating stones a3-3 are mounted around the oscillating head a3-2 to connect the air guide pipe a3-4, thereby producing a plurality of bubbles a3-6 around the oscillating head a3-2, so that the water is atomized in the bubbles a3-6 to increase the oxygen content in the water. Thus, the atomizer is mounted on the receiving barrel, with the oscillating head a3-2 being extended into the receiving barrel and connected to a thermal switch so that the atomizer is maintained at a safety temperature of 45?C.
Referring to Figs. 13 and 14, the magnetized body in accordance with the preferred embodiment of the present invention is a high contact magnetized body and includes a ball a4-1 having a central hole a4-2, a plurality of bent feathers a4-3 and a plurality of bent grooves a4-4. Alternatively, the magnetized body comprises a block a5-1 having a plurality of central holes a5-2, a plurality of bent feathers a5-3 and a plurality of bent grooves a5-4. In fabrication, the ball a4-1 or the block a5-1 is made by mixing plastic powder with special magnet powder. Then, the mixture is pressed in a die, then magnetized and is coated with a dustproof layer to form the ball a4-1 or the block a5-1. When the processed water passes through the magnetized body, the water will flow through the central hole a4-2 and the bent feathers a4-3 of the ball a4-1 or the central hole a5-2 and the bent feathers a5-3 of the block a5-1, and partial of the water will flow through the bent grooves a4-4 of the ball a4-1 or the bent grooves a5-4 of the block a5-1, so as to increase the contact area between the processed water and the magnetized body, thereby enhancing the magnetizing function of the processed water.
Referring to Figs. 15-18, the water activating apparatus further comprises a water softening device for controlling the hardness of the water.
The water softening device includes a cursor-plug type water flow regulator b1-1 including a ball screw b1-3 having an urging ring b1-3-1, an outer thread b1-3-2 and a tip groove b1-3-3, a cursor plug b1-2 mounted on the ball screw b1-3 and having a guide mark b1-2-1 and two urging rings b1-2-2, a water inlet b1-4, an extreme softened water pipe b1-5, and an extreme non-softened water pipe b1-6. The guide mark b1-2-1 is inserted into the cursor plug b1-2 and locked in the outer thread b1-3-2 of the ball screw b1-3. When the ball screw b1-3 is rotated, the guide mark b1-2-1 is moved by rotation of the outer thread b1-3-2 of the ball screw b1-3 to move the cursor plug b1-2 to regulate the water flow from the water inlet b1-4 to the extreme softened water pipe b1-5 and the extreme non-softened water pipe b1-6. The urging ring b1-3-1 can prevent the water from leaking from the ball screw b1-3 of the regulator b1-1. The two urging rings b1-2-2 can prevent the extreme softened water pipe b1-5 from connecting to the extreme non-softened water pipe b1-6.
Alternatively, the water softening device includes a dual-piece cross type water flow regulator b2-1 including a regulating rod b2-2 having a shaft b2-2-1, a tip groove b2-2-2 and an urging ring b2-2-3, a softened water regulating plate b2-3, a non-softened water regulating plate b2-4, a softened water inlet b2-5, a non-softened water inlet b2-6, an extreme softened water pipe b2-7, and an extreme non-softened water pipe b2-8. The softened water regulating plate b2-3 is mounted on the shaft b2-2-1 of the regulating rod b2-2 and aligning with the softened water inlet b2-5, and the non-softened water regulating plate b2-4 is mounted on the shaft b2-2-1 of the regulating rod b2-2 and aligning with the non-softened water inlet b2-6. The softened water regulating plate b2-3 intersects the non-softened water regulating plate b2-4 in a dual-piece cross manner, thereby forming the dual-piece cross type water flow regulator b2-1. When the regulating rod b2-2 is rotated, the softened water regulating plate b2-3 and the non-softened water regulating plate b2-4 are rotated to respectively regulate the water flow from the softened water inlet b2-5 and the non-softened water inlet b2-6 to the extreme softened water pipe b2-7 and the extreme non-softened water pipe b2-8.
Accordingly, the cursor-plug type water flow regulator b1-1 or the dual-piece cross type water flow regulator b2-1 is mounted on the water inlet b1-4 of the water softening device to control the water flow flowing into the water pipe of the water softening device.
The water softening device further includes a dual-layer porous type water mixer b3-1 including an upper porous plate b3-2 having a plurality of holes b3-2-1, a non-softened water pipe b3-3 having a non-softened water outlet b3-3-1, a central plate b3-4 having a central hole b3-4-1, a lower porous plate b3-5 having a protruding cone b3-5-1 and a plurality of holes b3-5-2, and a mixing water outlet b3-6. The non-softened water outlet b3-3-1 of the non-softened water pipe b3-3 is extended through the upper porous plate b3-2 and the protruding cone b3-5-1 of the lower porous plate b3-5. The non-softened water flows through the lower porous plate b3-5 into the central hole b3-4-1 of the central plate b3-4 to mix with the softened water from the holes b3-2-1 of the upper porous plate b3-2. Then, the mixed water flows through the gap between the lower porous plate b3-5 and the central plate b3-4 and through the holes b3-5-2 of the lower porous plate b3-5 and then flows outward from the mixing water outlet b3-6.
Alternatively, the water softening device further includes a dual-layer triangular cone type water mixer including an upper plate b4-1 having a protruding triangular cone b4-1-1 having a central hole b4-1-2, a lower plate b4-2 having a circular hole b4-2-1 and a gap b4-2-2 between the circular hole b4-2-1 and the triangular cone b4-1-1, a non-softened water pipe b4-3, and a middle space b4-4 between the upper plate b4-1 and the lower plate b4-2. Thus, the non-softened water is mixed with the softened water evenly.
Accordingly, the dual-layer porous type water mixer b3-1 or the dual-layer triangular cone type water mixer is mounted on the water outlet of the water softening device to evenly mix the softened water and the non-softened water with a determined amount of mineral material, such as magnesium, calcium or the like.
Referring to Figs. 19-25, the water activating apparatus further comprises an outer barrel (receiving barrel) c1-1 having an upper cover c1-1-1, an ultraviolet sterilizing lamp c1-2, a lamp seat c1-3, an urging seat c1-4 having a fixing plate c1-6, an urging ring c1-5, a screw c1-7, a fixing socket c1-8, a supersonic high frequency oscillating atomizer c1-9, a porous bio-chemical ceramic wave energy plate c1-10, a plurality of high contact magnetized bodies c1-11, an inner barrel c1-12 having a water inlet c1-27, an upper net c1-13 (multi-layer stainless steel filter net having a diameter smaller than 1μ), a lower net c1-14 (multi-layer stainless steel filter net having a diameter at least 200 mash), a filter barrel c1-15 (containing KDF or AD33S) mounted between the upper net c1-13 and the lower net c1-14, a bottom cover c1-16, a top cover c1-17, a control device c1-18 for controlling the time, temperature and water flow, a water inlet c1-19, a water flow monitor c1-20, a sprayer switch c1-21 having a water outlet, a barrel-shaped filter net c1-22, a lower urging ring c1-23, an upper urging ring c1-24, and a water guide plug c1-26 having a water guide inlet c1-26-1, an outer urging ring c1-26-2 and an inner urging ring c1-26-3.
The ultraviolet sterilizing lamp c1-2 is directly immersed in the water contained in the outer barrel c1-1. The lamp seat c1-3 of the ultraviolet sterilizing lamp c1-2 is provided with an urging seat c1-4 made of transparent plastic material or elastic rubber, and the urging ring c1-5 is urged on the urging seat c1-4. The fixing socket c1-8 is formed in the upper cover c1-1-1 of the outer barrel c1-1 for positioning the urging seat c1-4. The urging seat c1-4 is closely combined with the fixing socket c1-8 by the fixing plate c1-6 of the urging seat c1-4. The fixing plate c1-6 of the urging seat c1-4 is formed with an optical pore to detect the light of the ultraviolet sterilizing lamp c1-2 passes through the transparent urging seat c1-4 so as to monitor operation of the ultraviolet sterilizing lamp c1-2.
The porous bio-chemical ceramic wave energy plate c1-10 is made of a porous bio-chemical ceramic material having a great wave energy. The ceramic material is pressed and heated at high pressure and temperature to form the energy plate c1-10 having pores each having a diameter of at least 20m/mφ. The ultraviolet sterilizing lamp c1-2 is extended through the energy plate c1-10.
Each of the high contact magnetized bodies c1-11 is the same as that described before.
The supersonic high frequency oscillating atomizer c1-9 is the same as that described before.
The upper net c1-13 and the lower net c1-14 are mounted in the inner barrel c1-12. The upper net c1-13 has a diameter smaller than 1μ (micron), and the lower net c1-14 has a diameter at least 200 mash so as to remove the pesticide and protect the filter barrel c1-15 containing KDF (removing the heavy metal or chloride) or AD33S (removing the arsenic). The barrel-shaped filter net c1-22 is mounted between the inner barrel c1-12 and the outer barrel c1-1 and has a diameter smaller than 1μ (micron). The lower urging ring c1-23 and upper urging ring c1-24 can prevent the water in the inner barrel c1-12 from entering the outer barrel c1-1. The water guide plug c1-26 is mounted between the inner barrel c1-12 and the outer barrel c1-1 and is inserted through the outer barrel c1-1 into the water inlet c1-27 of the inner barrel c1-12 to guide the water from the outer barrel c1-1 through the water guide inlet c1-26-1 into the inner barrel c1-12. The outer urging ring c1-26-2 can prevent the water from leaking outward from the outer barrel c1-1. The inner urging ring c1-26-3 is urged between the water guide plug c1-26 and the water inlet c1-27 of the inner barrel c1-12 to prevent the inner barrel c1-12 from connecting the outer barrel c1-1.
Referring to Figs. 26-28, the water activating apparatus further comprises a faucet including faucet body d1-1, a handle d1-2, a gooseneck boom d1-3, a water inlet d1-3-1 connected to the gooseneck boom d1-3, a ceramic switch d1-4 (for controlling the water temperature and flow rate), a mixed water port d1-4-1, a hot water inlet d1-5, a cold water inlet d1-6, a mixed water outlet d1-7, a water port d1-7-1 connected to the mixed water outlet d1-7, a mixed water return port d1-8, a water port d1-8-1 connected to the mixed water return port d1-8, and a reverse washing switch d1-9 having a switch handle d1-9-1 and a stopper d1-9-2.
The hot and cold water flows from the hot water inlet d1-5 and the cold water inlet d1-6 into the ceramic switch d1-4 to mix with each other. Then, the mixed water flows through the reverse washing switch d1-9 and flows outward from the mixed water outlet d1-7. Then, the mixed water flows through a water activating machine and flows outward from the outlet of the water activating machine. Then, as shown in Fig. 27, the mixed water flows through the mixed water return port d1-8, the water port d1-8-1, the reverse washing switch d1-9 and the water inlet d1-3-1 into the gooseneck boom d1-3 and then flows outward from the gooseneck boom d1-3. As shown in Fig. 28, the reverse washing switch d1-9 is switched to the reverse washing position, the mixed water flows through the mixed water port d1-4-1 of the ceramic switch d1-4, the water port d1-8-1 and the mixed water return port d1-8, and then flows outward from the mixed water return port d1-8. Then, the mixed water flows through the outlet of the water activating machine and is filtered by the reverse washing filter of the water activating machine and then flows outward from the inlet of the water activating machine. Then, the mixed water flows through the mixed water outlet d1-7, the water port d1-7-1, the reverse washing switch d1-9 and the water inlet d1-3-1 into the gooseneck boom d1-3. Finally, the water after being reverse washed by the reverse washing process flows outward from the gooseneck boom d1-3.
Referring to Figs. 29-32, the water activating apparatus further comprises a sprayer that can used temporarily or successively. The sprayer includes a first sprayer or a second sprayer. The first sprayer includes a gun body e1-1, a trigger e1-2 having a control hole e1-2-1, and a press button e1-3. Figs. 30A and 30C show the relative position between the press button e1-3 and the control hole e1-2-1 when the press button e1-3 is not pressed, wherein the trigger e1-2 can be moved freely. Figs. 30B and 30D show the relative position between the press button e1-3 and the control hole e1-2-1 when the press button e1-3 is pressed, wherein the trigger e1-2 is locked. The second sprayer includes a gun body e1-4, a trigger e1-5, and a control ring e1-6. Figs. 31 and 32 show the relative position between the trigger e1-5 and the control ring e1-6.
Referring to Figs. 33-35, the water activating apparatus further comprises a sprayer switch f1-1, a ring f1-5, a movable plug, and a coupler plug f1-11. The sprayer switch f1-1 is mounted between the water activating machine, the faucet and the sprayer. The sprayer switch f1-1 includes a water inlet f1-2, a water outlet f1-3 connected to the faucet, a water outlet f1-4 connected to the sprayer, and a coupler plug f1-11. The ring f1-5 is mounted in the sprayer switch f1-1 and has a hollow portion f1-5-1, a central ring f1-5-2 and an urging ring f1-5-3. The urging ring f1-5-3 is urged on an inner wall of the sprayer switch f1-1. The movable plug is mounted in the sprayer switch f1-1 and includes a central shaft f1-8 extended through the central ring f1-5-2 of the ring f1-5, a first rubber plug head f1-6 mounted on a first end of the central shaft f1-8 and located adjacent to the faucet, a second rubber plug head f1-7 mounted on a second end of the central shaft f1-8 and located adjacent to the sprayer, a retainer f1-9, and a stopper f1-10. The coupler plug f1-11 is mounted in the sprayer switch f1-1 and has an urging ring f1-11-1 and a C-shaped snap ring f1-11-2. When the sprayer is closed, the water pressure pushes the second rubber plug head f1-7 to drive the first rubber plug head f1-6 to detach from the ring f1-5, so that the water flows from the water inlet f1-2 through the hollow portion f1-5-1 of the ring f1-5 into the water outlet f1-3, so that the water is drained outward from the faucet. Fig. 34 shows the streamline f1-12. When the sprayer is opened, the water pressure pushes the first rubber plug head f1-6 to drive the second rubber plug head f1-7, so that the water flows from the water inlet f1-2 through the gap of the second rubber plug head f1-7 into the water outlet f1-4, so that the water is drained outward from the sprayer. Fig. 35 shows the streamline f1-13.
Referring to Figs. 36 and 37, the water activating apparatus further comprises a water flow monitor h1-1 including an upper end plate h1-2, a lower end plate h1-3, a water inlet h1-4, a water outlet h1-5, a float h1-6, a central pin h1-7, a lower reed switch h1-8 having a connecting line h1-8-1, an upper reed switch h1-9 having a connecting line h1-9-1, an annular magnet h1-10, an upper retainer ring h1-11, and a lower retainer ring h1-12. The float h1-6 is movably mounted on the central pin h1-7 between the upper retainer ring h1-11 and the lower retainer ring h1-12. The annular magnet h1-10 is mounted on the float h1-6 to move therewith. The lower reed switch h1-8 and the upper reed switch h1-9 are mounted on the central pin h1-7 respectively.
As shown in Fig. 37, when the water stops, the float h1-6 is floated by the water contained in the water flow monitor h1-1 and retained on the upper retainer ring h1-11 to open the upper reed switch h1-9 which sends a signal through the connecting line h1-9-1 to a monitoring circuit. At this time, the upper reed switch h1-9 is opened and the lower reed switch h1-8 is connected. When the water flows through the water inlet h1-4 into the water flow monitor h1-1 to push the float h1-6 downward so that the float h1-6 is retained on the lower retainer ring h1-12. At this time, the upper reed switch h1-9 is connected and the lower reed switch h1-8 is opened. When the water stops, the float h1-6 is returned to the original position, so that the upper reed switch h1-9 is opened and the lower reed switch h1-8 is connected. Thus, the water flow monitor h1-1 co-operates with a timer and a thermal switch to form a control device for controlling the time, temperature and water flow, so as to open the ultraviolet sterilizing lamp and the supersonic high frequency oscillating atomizer when the water is flowing, to close the ultraviolet sterilizing lamp and the supersonic high frequency oscillating atomizer when the water flow stops for a predetermined time, and to close the circuit when the temperature exceeds a predetermined value.
Referring to Figs. 38 and 39, the water activating apparatus further comprises a gas/water mixer i1-1 including a water inlet i1-1-1, a water outlet i1-1-2, an air inlet i1-1-3, a plurality of bubble generating stones i1-2, a plurality of nets i1-3, and an air cavity i1-4. When the water is flowing, the air flows through the air inlet i1-1-3, the air cavity i1-4, the bubble generating stones i1-2 and the nets i1-3 to mix with the water, thereby mixing the air with the water evenly.
Referring to Figs. 40 and 41, the water activating apparatus further comprises a magnet-actuating reciprocating high pressure air pump including a permanent magnet i2-1, a first electromagnet i2-2, a second electromagnet i2-3, a central shaft i2-4, a first cylinder i2-5 having a cylinder piston i2-5-1, an intake piston i2-5-2 and an outtake piston i2-5-3, a second cylinder i2-6 having a cylinder piston i2-6-1, an intake piston i2-6-2 and an outtake piston i2-6-3, a first air guide pipe i2-7, a second air guide pipe i2-8, and a common air outlet i2-9. The permanent magnet i2-1, the first electromagnet i2-2 and the second electromagnet i2-3 are connected by the central shaft i2-4. The first cylinder i2-5 and the second cylinder i2-6 are mounted on the two ends of the central shaft i2-4 respectively.
As shown in Figs. 40 and 41, the poles of the first electromagnet i2-2 and the second electromagnet i2-3 are changed by changing the current direction of the first electromagnet i2-2 and the second electromagnet i2-3 to push the permanent magnet i2-1 to move the central shaft i2-4 which pushes and moves the first cylinder i2-5 and the second cylinder i2-6 reciprocally so as to introduce the air from the first air guide pipe i2-7 and the second air guide pipe i2-8 into the common air outlet i2-9 respectively, thereby obtaining high pressure air.
Referring to Figs. 42-45, the water activating apparatus further comprises a super-oxygen generating barrel i3-1 containing an upper cover i3-2, a separation plate i3-3 having a hole i3-3-1, an air source i3-4, a magnet-actuating reciprocating high pressure air pump i3-5, a gas/water mixer i3-6 having an outlet i3-8, a water inlet and magnet valve i3-7, a supersonic high frequency oscillating atomizer i3-9, a level switch i3-10 having a signal line i3-10-1, a super-oxygen water outlet i3-11, a relief valve i3-12, and a signal line tube i3-13.
The water inlet and magnet valve i3-7 sends the water into the gas/water mixer i3-6. The gas in the air source i3-4 is pressurized by the magnet-actuating reciprocating high pressure air pump i3-5 and is sent into the gas/water mixer i3-6 to mix with the water. Then, the pressurized gas/water mixture flows through the outlet i3-8 of the gas/water mixer i3-6 into the super-oxygen generating barrel i3-1. Then, the supersonic high frequency oscillating atomizer i3-9 is operated to atomize the pressurized gas/water mixture to increase the oxygen content in the pressurized gas/water mixture. Then, the pressurized gas/water mixture flows through the hole i3-3-1 of the separation plate i3-3 to reach the level switch i3-10 which drives the signal line i3-10-1 to send a signal to the water inlet and magnet valve i3-7 to stop the water flow. At this time, the pressurized gas/water mixture successively flows into the super-oxygen generating barrel i3-1 to increase the oxygen content exceeding 60pm which is at least one to eight times of the saturated oxygen content of the water. When the pressure in the super-oxygen generating barrel i3-1 exceeds a predetermined value, the relief valve i3-12 releases the air. Fig. 43 shows the water is supplied into the super-oxygen generating barrel i3-1. Fig. 44 shows the water is full of the super-oxygen generating barrel i3-1. Fig. 45 shows the water is drained outward through the super-oxygen water outlet i3-11. When the water level is lowered to reach the level switch i3-10, the signal line i3-10-1 sends a signal to the water inlet and magnet valve i3-7 to supply the water into the super-oxygen generating barrel i3-1.
As shown in Figs. 46 and 47, the water activating apparatus further comprises a transfer device j1-1 including a water inlet j1-1-1, a water outlet j1-1-2, a plurality of upper sensing coils j1-2, a plurality of lower sensing coils j1-3, an upper plate j1-4, and a separation plate j1-5. When the liquid (urine or medicine) to be transferred is placed on the upper plate j1-4, the upper sensing coils j1-2 detect an information signal which is sent by the line a-b to an amplifier. Then, the amplified information signal is sent to the lower sensing coils j1-3 which magnetizes and transfer the amplified information signal into a magnetic wave. Thus, the water from the water inlet j1-1-1 is magnetized successively to obtain a transfer effect, and the magnetized water is drained outward from the water outlet j1-1-2. The separation plate j1-5 is mounted between the upper sensing coils j1-2 and the lower sensing coils j1-3 to prevent the information signals of the upper sensing coils j1-2 and the lower sensing coils j1-3 from interfering with each other. Accordingly, the transfer device j1-1 can be used to transfer the bio-chemical wave energy information water successively.
Although the invention has been explained in relation to its preferred embodiment(s) as mentioned above, it is to be understood that many other possible modifications and variations can be made without departing from the scope of the present invention. It is, therefore, contemplated that the appended claim or claims will cover such modifications and variations that fall within the true scope of the invention.
WHAT IS CLAIMED IS:
1. A water activating apparatus, comprising:
(a) a plurality of floatable fibrous filter balls, an atomizer, a plurality of bio-chemical ceramic wave energy tubes, a receiving barrel, and a magnetizer;
(b) a water softening device;
(c) an ultraviolet sterilizing lamp, a porous bio-chemical ceramic wave energy plate, a plurality of magnetized bodies, an multi-layer stainless steel filter net, and a filter barrel;
(d) a faucet;
(e) a sprayer;
(f) a sprayer switch mounted between the faucet and the sprayer;
(g) a reverse washing switch;
(h) a water flow monitor;
(i) a gas/water mixer, a magnet-actuating reciprocating high pressure air pump, and a super-oxygen generating barrel; and
(j) a transfer device.
2. The water activating apparatus in accordance with claim 1, wherein the magnetizer is made of isotropic or anisotropic magnetic material of neodymium-iron-boron alloy, and includes a magnetic inner tube, a magnetic outer tube, a magnetic conducting bar mounted in a center of the inner tube, a magnetic conducting tube mounted on an outer wall the outer tube, and two magnetic conducting end plates each having a water conduit, the magnetic inner tube has an inner wall having a N pole and an outer wall having a S pole, and the magnetic outer tube has an inner wall having a N pole and an outer wall having a S pole or the magnetic inner tube has an inner wall having a S pole and an outer wall having a N pole, and the magnetic outer tube has an inner wall having a S pole and an outer wall having a N pole.
3. The water activating apparatus in accordance with claim 1, wherein each of the floatable fibrous filter balls is made of floating material of polyester, nylon, P.V.C., PP or PE, the floating material is made into a film which has a surface formed with multiple pores by a high frequency corona to have a diameter of at least 1μ, and is divided into multiple flat lines which are woven into the floatable fibrous filter ball.
4. The water activating apparatus in accordance with claim 1, wherein the atomizer includes an oscillating head, an air guide pipe and a plurality of bubble-generating stones mounted around the oscillating head to connect the air guide pipe.
5. The water activating apparatus in accordance with claim 1, wherein the atomizer is mounted on the receiving barrel, with the oscillating head being extended into the receiving barrel and connected to a thermal switch so that the atomizer is maintained at a safety temperature of 45?C.
6. The water activating apparatus in accordance with claim 1, wherein each of the energy tubes is made of a porous bio-chemical ceramic material having a great wave energy, the ceramic material is pressed and extruded at high pressure and temperature into a tubular shape to form the energy tube, the energy tubes are connected by a plurality of U-shaped connectors.
7. The water activating apparatus in accordance with claim 1, wherein each of the magnetized bodies is made by mixing plastic powder with special magnet powder to form a mixture which is pressed in a die, is magnetized and is coated with a dustproof layer to form a ball or a block, the ball has a central hole, a plurality of bent feathers and a plurality of bent grooves, and the block has a plurality of central holes, a plurality of bent feathers and a plurality of bent grooves.
8. The water activating apparatus in accordance with claim 1, further comprising a reverse washing fan mounted in the receiving barrel, a reverse washing motor mounted on the receiving barrel and connected to the reverse washing fan to perform a reverse washing process on the floatable fibrous filter balls.
9. The water activating apparatus in accordance with claim 1, further comprising a check valve mounted on the receiving barrel to introduce the air into the receiving barrel when the sludge is drained outward.
10. The water activating apparatus in accordance with claim 1, further comprising a water inlet magnet valve, a water outlet magnet valve, and a drain magnet valve mounted on the receiving barrel respectively.
11. The water activating apparatus in accordance with claim 1, wherein the water softening device includes a cursor-plug type water flow regulator or a dual-piece cross type water flow regulator mounted on a water inlet of the water softening device to control a water flow flowing into a softened water pipe and a non-softened water pipe of the water softening device.
12. The water activating apparatus in accordance with claim 1, wherein the water softening device includes a dual-layer porous type water mixer or a dual-layer triangular cone type water mixer dual-layer triangular cone type water mixer mounted on a water outlet of the water softening device to mix a softened water with a non-softened water.
13. The water activating apparatus in accordance with claim 1, wherein the magnetizer is a dual-tube liquid magnetizer.
14. The water activating apparatus in accordance with claim 1, wherein the ultraviolet sterilizing lamp is directly immersed in water contained in the receiving barrel and has a lamp seat provided with an urging seat made of transparent plastic material or elastic rubber, and an urging ring is urged on the urging seat.
15. The water activating apparatus in accordance with claim 14, wherein the receiving barrel has an upper cover formed with a fixing socket for positioning the urging seat, the urging seat is combined with the fixing socket by a fixing plate of the urging seat.
16. The water activating apparatus in accordance with claim 15, wherein the fixing plate of the urging seat is formed with an optical pore to detect the light of the ultraviolet sterilizing lamp passes through the transparent urging seat so as to monitor operation of the ultraviolet sterilizing lamp.
17. The water activating apparatus in accordance with claim 1, wherein the energy plate is made of a porous bio-chemical ceramic material having a great wave energy, the ceramic material is pressed and heated at high pressure and temperature to form the energy plate having pores each having a diameter of at least 20m/mφ, and the ultraviolet sterilizing lamp is extended through the energy plate.
18. The water activating apparatus in accordance with claim 1, wherein each of the magnetized bodies is a multi-directional high contact magnetized bodies.
19. The water activating apparatus in accordance with claim 1, wherein the atomizer is a supersonic high frequency oscillating atomizer.
20. The water activating apparatus in accordance with claim 1, further comprising an upper net and a lower net each mounted in an inner barrel of the receiving barrel, the upper net has a diameter smaller than 1μ (micron), and the lower net has a diameter at least 200 mash.
21. The water activating apparatus in accordance with claim 20, further comprising a barrel-shaped filter net mounted between the inner barrel and the outer barrel and having a diameter smaller than 1μ (micron).
22. The water activating apparatus in accordance with claim 20, further comprising a filter barrel mounted between the upper net and the lower net.
23. The water activating apparatus in accordance with claim 20, further comprising a water inlet magnet valve and a water outlet magnet valve each mounted on the receiving barrel respectively, and a reverse washing motor mounted on the receiving barrel to perform a reverse washing process on the upper net and the lower net.
24. The water activating apparatus in accordance with claim 1, further comprising a water guide plug mounted between the inner barrel and the receiving barrel to guide water from the receiving barrel into the inner barrel and having a water guide inlet, an outer urging ring and an inner urging ring, wherein the outer urging ring can prevent the water from leaking outward from the outer barrel,  the inner urging ring is urged between the water guide plug and an water inlet of the inner barrel to prevent the inner barrel from connecting the outer barrel.
25. The water activating apparatus in accordance with claim 1, wherein the faucet includes faucet body, a handle, a gooseneck boom, a water inlet connected to the gooseneck boom, a ceramic switch, a mixed water port, a hot water inlet, a cold water inlet, a mixed water outlet, a water port connected to the mixed water outlet, a mixed water return port, a water port connected to the mixed water return port, and a reverse washing switch.
26. The water activating apparatus in accordance with claim 1, wherein the sprayer switch has a first water outlet connected to the faucet and a second water outlet connected to the sprayer.
27. The water activating apparatus in accordance with claim 26, further comprising a ring, and a movable plug, wherein the ring is mounted in the sprayer switch and has a hollow portion, a central ring and an urging ring, the urging ring is urged on an inner wall of the sprayer switch, the movable plug is mounted in the sprayer switch and includes a central shaft extended through the central ring of the ring, a first rubber plug head mounted on a first end of the central shaft and located adjacent to the faucet, and a second rubber plug head mounted on a second end of the central shaft and located adjacent to the sprayer.
28. The water activating apparatus in accordance with claim 25, wherein the reverse washing switch has a switch handle and a stopper.
29. The water activating apparatus in accordance with claim 1, wherein the water flow monitor includes an upper end plate, a lower end plate, a water inlet, a water outlet, a float, a central pin, a lower reed switch having a connecting line, an upper reed switch having a connecting line, an annular magnet, an upper retainer ring, and a lower retainer ring, the float is movably mounted on the central pin between the upper retainer ring and the lower retainer ring, the annular magnet is mounted on the float to move therewith, and the lower reed switch and the upper reed switch are mounted on the central pin respectively.
30. The water activating apparatus in accordance with claim 1, wherein the gas/water mixer includes a water inlet, a water outlet, an air inlet, a plurality of bubble generating stones, a plurality of nets, and an air cavity, so that when the water is flowing, the air flows through the air inlet, the air cavity, the bubble generating stones and the nets to mix with the water, thereby mixing the air with the water.
31. The water activating apparatus in accordance with claim 1, wherein the magnet-actuating reciprocating high pressure air pump includes a permanent magnet, a first electromagnet, a second electromagnet, a central shaft, a first cylinder having a cylinder piston, an intake piston and an outtake piston, a second cylinder having a cylinder piston, an intake piston and an outtake piston, a first air guide pipe, a second air guide pipe, and a common air outlet, the permanent magnet, the first electromagnet and the second electromagnet are connected by the central shaft, and the first cylinder and the second cylinder are mounted on the two ends of the central shaft respectively.
32. The water activating apparatus in accordance with claim 1, wherein the super-oxygen generating barrel contains an upper cover, a separation plate having a hole, an air source, a magnet-actuating reciprocating high pressure air pump, a gas/water mixer having an outlet, a water inlet and magnet valve, a supersonic high frequency oscillating atomizer, a level switch having a signal line, a super-oxygen water outlet, a relief valve, and a signal line tube.
33. The water activating apparatus in accordance with claim 1, wherein the transfer device includes a water inlet, a water outlet, a plurality of upper sensing coils, a plurality of lower sensing coils, an upper plate, and a separation plate, the separation plate is mounted between the upper sensing coils and the lower sensing coils to prevent information signals of the upper sensing coils and the lower sensing coils from interfering with each other.
ABSTRACT OF THE DISCLOSURE
A water activating apparatus includes (a) a plurality of floatable fibrous filter balls, an atomizer, a plurality of bio-chemical ceramic wave energy tubes, a receiving barrel, and a magnetizer, (b) a water softening device, (c) an ultraviolet sterilizing lamp, a porous bio-chemical ceramic wave energy plate, a plurality of magnetized bodies, an multi-layer stainless steel filter net, and a filter barrel, (d) a faucet, (e) a sprayer, (f) a sprayer switch mounted between the faucet and the sprayer, (g) a reverse washing switch, (h) a water flow monitor, (i) a gas/water mixer, a magnet-actuating reciprocating high pressure air pump, and a super-oxygen generating barrel, and (j) a transfer device. Thus, the water is activated efficiently, thereby enhancing the water quality contained in the receiving barrel.
【図１】
2004202491.tif 000059
【図２】
2004202491.tif 000060
【図３】
2004202491.tif 000061
【図４】
2004202491.tif 000062
【図５】
2004202491.tif 000063
【図６】
2004202491.tif 000064
【図７】
2004202491.tif 000065
【図８】
2004202491.tif 000066
【図９】
2004202491.tif 000067
【図１０】
2004202491.tif 000068
【図１１】
2004202491.tif 000069
【図１２】
2004202491.tif 000070
【図１３】
2004202491.tif 000071
【図１３Ａ】
2004202491.tif 000072
【図１３Ｂ】
2004202491.tif 000073
【図１４】
2004202491.tif 000074
【図１４Ａ】
2004202491.tif 000075
【図１４Ｂ】
2004202491.tif 000076
【図１５】
2004202491.tif 000077
【図１６】
2004202491.tif 000078
【図１７】
2004202491.tif 000079
【図１８】
2004202491.tif 000080
【図１８Ａ】
2004202491.tif 000081
【図１９】
2004202491.tif 000082
【図２０】
2004202491.tif 000083
【図２１】
2004202491.tif 000084
【図２２】
2004202491.tif 000085
【図２３】
2004202491.tif 000086
【図２４】
2004202491.tif 000087
【図２５】
2004202491.tif 000088
【図２６】
2004202491.tif 000089
【図２７】
2004202491.tif 000090
【図２８】
2004202491.tif 000091
【図２９】
2004202491.tif 000092
【図３０】
2004202491.tif 000093
【図３０Ａ】
2004202491.tif 000094
【図３０Ｂ】
2004202491.tif 000095
【図３０Ｃ】
2004202491.tif 000096
【図３０Ｄ】
2004202491.tif 000097
【図３１】
2004202491.tif 000098
【図３２】
2004202491.tif 000099
【図３３】
2004202491.tif 000100
【図３４】
2004202491.tif 000101
【図３５】
2004202491.tif 000102
【図３６】
2004202491.tif 000103
【図３７】
2004202491.tif 000104
【図３８】
2004202491.tif 000105
【図３９】
2004202491.tif 000106
【図４０】
2004202491.tif 000107
【図４１】
2004202491.tif 000108
【図４２】
2004202491.tif 000109
【図４３】
2004202491.tif 000110
【図４４】
2004202491.tif 000111
【図４５】
2004202491.tif 000112
【図４６】
2004202491.tif 000113
【図４７】
2004202491.tif 000114